(57)【要約】  本発明は、骨を特徴付ける方法であって、前記方法は、身体へと送信された超音波エコー信号を受信するステップ（１０２）と、前記身体の非骨生物組織内の音の速度を決定するステップ（１０４）と、前記決定するステップの間に構成された前記身体の画像の中で非骨生物組織と骨との間の第１境界曲線を特定するステップ（１０６）と、骨内の音の速度を決定するステップ（１０８）と、を含む方法に関連する。速度を決定するステップは、前記信号から画像を構成し、前記構成した画像の中の合焦品質を示すメトリックを計算するステップを含む。
2020528310.tif 000002
【特許請求の範囲】
【請求項１】
骨を特徴付ける方法であって、前記方法は、
前記骨と前記骨の周囲にある非骨生物組織とを含む身体へ第１超音波を送信するステップと、
放射された前記第１超音波の第１エコー信号を受信するステップと、
第１方向の前記非骨生物組織内の音速（Vtissue１）を決定するステップであって、
複数の所定の第１候補値について、前記第１方向の前記非骨生物組織内の前記音速（Vtissue１）が前記第１候補値に等しいという前提の下で、前記第１エコー信号から、前記非骨生物組織と前記骨の骨膜とを示す第１画像を構成するステップと、
各第１画像について、前記第１画像の中の前記骨膜及び／又は前記骨の周囲にある前記非骨生物組織の合焦品質を示す少なくとも１つの第１メトリックを計算するステップと、
前記第１メトリックに基づき、前記第１候補値のうちの１つを、前記第１方向の前記非骨生物組織内の前記音速（Vtissue１）として選択するステップと、を含むステップと、
前記第１画像のうちの１つの中の、前記非骨生物組織と前記骨との間の第１境界曲線を特定するステップと、
前記第１方向の骨内の音速（Vbone１）を決定するステップであって、
複数の所定の第２候補値について、前記第１方向の骨内の前記音速（Vbone１）が前記第２候補値に等しいという前提の下で、前記第１エコー信号、決定された前記第１方向の前記非骨生物組織内の前記音速（Vtissue１）、及び前記第１境界曲線から、前記骨の皮質骨組織と前記骨の骨内膜とを示す第２画像を構成するステップと、
各第２画像について、前記第２画像の中の前記骨の前記皮質骨組織及び／又は前記骨内膜の合焦品質を示す少なくとも１つの第２メトリックを計算するステップと、
前記第２メトリックに基づき、前記第２候補値のうちの１つを、前記第１方向の骨内の前記音速（Vbone１）として選択するステップと、を含むステップと、
を含む方法。
【請求項２】
第１候補値を用いて第１画像を構成するステップは、前記非骨生物組織の少なくとも１つの点について実行される以下のステップ：
前記第１方向の前記非骨生物組織内の前記音速が前記第１候補値に等しいという前提の下で、前記第１エコー信号から、送信機により放射され、次に前記非骨生物組織の前記点を通過し、次に受信機により受信される第１超音波の第１軌跡を推定するステップと、
前記推定した第１軌跡により、超音波の伝搬時間を計算するステップと、
前記伝搬時間、前記第１エコー信号、並びに前記送信機及び受信機の位置から、前記非骨生物組織の前記点における前記第１画像のピクセルの強度を計算するステップ、
を含む、請求項１に記載の方法。
【請求項３】
第２候補値を用いて第２画像を構成するステップは、前記骨の少なくとも１つの点について実行される以下のステップ：
前記第１方向の前記骨内の前記音速（Vbone１）が前記第２候補値に等しいという前提の下で、前記第１境界曲線の決定した前記第１方向の前記非骨生物組織内の前記音速（Vtissue１）に基づき、送信機により放射され、次に前記骨の前記点を通過し、次に受信機により受信される前記第１超音波の第２軌跡を推定するステップと、
前記第２軌跡により、超音波の伝搬時間を計算するステップと、
前記伝搬時間、前記第１エコー信号、並びに前記送信機及び前記受信機の位置から、前記骨の前記点における前記第２画像のピクセルの強度を計算するステップと、
を含む、請求項１又は２に記載の方法。
【請求項４】
前記第１境界曲線は、前記第１方向の前記非骨生物組織内の前記音速（Vtissue１）として選択された前記第１値を用いて構成された前記第１画像内で特定される、請求項１乃至３のいずれか一項に記載の方法。
【請求項５】
前記第１超音波は送信機により送信された波であり、前記エコー信号は前記骨の長軸に垂直な軸に沿って揃えられた受信機により受信され、前記第１方向は前記骨の前記長軸に垂直な方向である、請求項１乃至４のいずれか一項に記載の方法。
【請求項６】
選択した前記第１値を用いて構成された前記第１画像、及び／又は選択した前記第２値を用いて構成された前記第２画像を表示するステップ、をさらに含む請求項１乃至５のいずれか一項に記載の方法。
【請求項７】
前記身体へ第２超音波を送信するステップと、
放射された前記第２超音波のエコー信号である、第２エコー信号を受信するステップと、
第１方向と異なる第２方向の前記非骨生物組織内の音速（Vbone２）を決定するステップであって、
複数の第３候補値について、前記第２方向の前記非骨生物組織内の前記音速が前記第２候補値に等しいという前提の下で、前記第２エコー信号から、前記非骨生物組織と前記骨の骨膜とを示す第３画像を構成するステップと、
各第３画像について、前記第３画像の中の前記骨膜の及び／又は前記非骨生物組織の合焦品質を示す少なくとも１つの第３メトリックを計算するステップと、
前記第３メトリックに基づき、前記第３候補値のうちの１つを、前記第２方向の前記非骨生物組織内の前記音速（Vtissue２）として選択するステップと、を含むステップと、
前記第３画像のうちの１つの中の前記非骨生物組織と前記骨膜との間の第２境界曲線を特定するステップと、
前記第２エコー信号を用いて、前記第２方向の前記骨内の音速（Vbone２）を決定するステップと、
任意の方向の前記骨内の音速を計算するために、前記第１方向の前記骨内の前記音速と前記第２方向の前記骨内の前記音速とを組み合わせて所定の関数（V）により使用可能な骨異方性パラメータ（β）を決定するステップであって、
複数の所定の第４候補値について、前記骨異方性パラメータ（β）が前記第４候補値に等しいという前提の下で、前記第２エコー信号、前記第１方向の前記骨内の前記音速（Vbone１）、前記第２方向の前記非骨生物組織内の音速（Vtissue２）、前記第２境界曲線、前記所定の関数（V）、及び任意で前記第２方向の前記骨内の前記音速（Vbone２）から、皮質骨組織と前記骨内膜とを示す第４画像を構成するステップと、
各第４画像について、前記第４画像の中の前記骨の前記骨内膜及び／又は前記皮質骨組織の合焦品質を示す第４メトリックを計算するステップと、
前記第４メトリックに基づき、前記第４候補値のうちの１つを、骨異方性パラメータ（β）として選択するステップと、を含むステップと、
を更に含む請求項１乃至６のいずれか一項に記載の方法。
【請求項８】
第４画像を構成するステップは、前記骨の少なくとも１つの点について実行される以下のステップ：
前記骨異方性パラメータ（β）が前記第４候補値のに等しいという前提の下で、前記第２エコー信号、前記第２方向の前記非骨生物組織内の前記音速（Vtissue２）、決定した前記第１方向の前記骨内の前記音速（Vbone１）、前記第２境界曲線、前記所定の関数（V）、及び任意で決定した前記第２方向の前記骨内の前記音速（Vbone２）から、送信機により放射され、次に前記骨の前記点を通過し、次に受信機により受信される第２超音波の第３軌跡を推定するステップと、
推定した前記第３軌跡により、超音波の伝搬時間を計算するステップと、
伝搬時間及び第２エコー信号並びに送信機及び受信機の位置に基づき、前記骨の点における前記第４画像のピクセルの強度を計算するステップと、
を含む、請求項７に記載の方法。
【請求項９】
前記第２境界曲線は、前記第２方向の前記非骨生物組織内の前記音速として選択した前記第３値を用いて構成された前記第３画像の中で特定される、請求項７又は８に記載の方法。
【請求項１０】
選択した第３値を用いて構成された前記第３画像、及び／又は選択した前記第４値及び前記第２方向の前記骨内の前記音速（Vbone２）を用いて構成された前記第４画像を表示するステップ、を更に含む請求項７乃至９のいずれか一項に記載の方法。
【請求項１１】
前記第２超音波は送信機により送信された波であり、前記第２エコー信号は前記骨の長軸を更に含む面内にある軸に沿って揃えられた受信機により受信され、前記第２方向は、望ましくは前記骨の前記長軸に平行な方向である、請求項７乃至１０のいずれか一項に記載の方法。
【請求項１２】
決定した前記骨内の音速（Vbone１、Vbone２）の各々は、圧縮波伝搬速度または横波伝搬速度である、請求項１乃至１１のいずれか一項に記載の方法。
【請求項１３】
決定した前記骨内の音速（Vbone１、Vbone２）の各々は、圧縮波伝搬速度であり、前記所定の関数は、以下の形式の関数Vであり、
V(θ)＝Vbone２−(Vbone２−Vbone１){βsin２(θ)cos２(θ)＋cos４(θ)]、
ここで、
Vbone１は決定した前記第１方向の前記骨内の前記圧縮波伝搬速度であり、
Vbone２は決定した前記第２方向の前記骨内の前記圧縮波伝搬速度であり、
βは前記骨異方性パラメータであり、
θは角度であり、
V(θ)は前記第１方向と角度θを形成する方向の前記骨内の圧縮波伝搬速度である、請求項７乃至１２のいずれか一項に記載の方法。
【請求項１４】
決定した前記第１方向の前記骨内の前記音速は、横波伝搬速度であり、前記所定の関数は以下の形式の関数Vであり、
V(θ)＝Vbone１{１＋βsin２(θ)cos２(θ)]、
ここで、
Vbone１は決定した前記第１方向の前記骨内の前記横波伝搬速度であり、
βは前記骨異方性パラメータであり、
θは角度であり、
V(θ)は前記第１方向と角度θを形成する方向の前記骨内の横波伝搬速度である、請求項１乃至１３のいずれか一項に記載の方法。
【請求項１５】
任意の方向の前記骨内の音速を計算するために、前記第１方向の前記骨内の前記音速（Vbone１）と一緒に、決定した前記第１方向の前記骨内の前記音速と組み合わせて所定の関数により使用可能な骨異方性パラメータ（β）を決定するステップを更に含み、前記決定するステップは、
所定の第２及び第４候補値の複数のペアについて、前記第１方向の前記骨内の前記音速が前記第２候補値に等しいという前提の下で、及び前記骨異方性パラメータ（β）が前記第４候補値に等しいという前提の下で、前記第１エコー信号、決定した前記第１方向の前記非骨生物組織内の前記音速、及び前記第１境界曲線から、前記骨の皮質骨組織と前記骨内膜とを示す第２画像を構成するステップと、
各第２画像について、前記第２画像の中の前記骨の前記皮質骨組織及び／又は前記骨内膜の合焦品質を示す少なくとも１つの第２メトリックを計算するステップと、
第２候補値を前記第１方向の前記骨内の音速として、及び第４候補値を骨異方性パラメータ（β）として選択するステップであって、前記の選択は前記第２メトリックに基づき実施される、ステップと、
を含む、請求項１乃至７のいずれか一項に記載の方法。
【発明の詳細な説明】
【技術分野】
【０００１】
本発明は、骨を特徴付ける方法に関する。
【背景技術】
【０００２】
生体を特徴付けるための超音波の使用は広く知られている。
【０００３】
X線断層撮影法は、例えば、画像化されるべき身体を通過するX線を用いる医療撮像技術である。しかしながら、この技術は、潜在的に危険な電離放射線に身体を晒すという欠点を有する。今日、私達は、絶対的必要のない限り、幼い子供の身体をこのようなX線に晒すことを回避する。
【０００４】
生体を特徴付ける他の知られている技術は、X線より危険の少ない超音波を使用する。
【０００５】
超音波は、従来、トランシーバアレイにより放射され、放射と受信との間の特定の伝搬時間の後に、特徴付けられるべき身体上のそれらのエコーが、同じ又は別のアレイにより受信される。
【０００６】
次に、超音波が伝搬した身体の断面を示す画像が、トランシーバアレイにより受信されたエコー信号に基づき構成され得る。
【０００７】
このような画像を構成する間、身体は同質の媒体であること、したがって、音速が検査中の身体内で一様であることを前提とする。
【０００８】
選択された音速は、通常、非骨生物組織（例えば、皮膚又は筋肉）内の平均音速であり、通常は５〜１０％の誤差を伴い１５４０メートル毎秒程度である。この前提の下で取得された画像は、したがって、非骨生物組織を示す関心領域において満足の行く品質を有する。
【０００９】
しかしながら、骨内の音速（通常、皮質骨内の圧縮波では２８００メートル毎秒〜４２００メートル毎秒の間）は、非骨生物組織内の音速より遙かに速い。非骨生物組織内の音速に対応する値の一様な速度の前提に基づき取得された画像は、骨を示す関心領域において粗悪な品質を示す。この粗悪な品質は、標準的に低い強度及びぼけた骨を生じる。この理由から、超音波は骨には「容易に貫通しない」というのは、医療界におけるありがちな誤解である。
【００１０】
骨内の音速と骨の周囲にある非骨生物組織内の音速との間の差は、屈折効果を生じる。したがって、既に非骨生物組織内の音速により行われているので、骨内の所定値の音速に基づき良好な品質の画像を再構成することができない。
【００１１】
骨内の音速は幾つかの要因に依存する。
【００１２】
第１に、骨内の音速は、個人により変化する。これは、骨粗鬆症のような疾患の後の診断のための非常に有用な情報であるからである。
【００１３】
第２に、骨内の音速は、全ての方向で同じではない。骨は、実際に異方性媒体である。これは、特に、所謂、皮質骨が血管を収容するために、長骨（例えば、脛骨）の長軸に平行に延びるチャネルを含むという事実に起因する。したがって、圧縮音波は、別の方向より速く、長骨の長軸に平行な方向に骨を通じて伝搬する。
【００１４】
結局、正確な音速を決定することが、骨を特徴付ける際の主な課題である。
【００１５】
これに関し、骨の長軸に平行な骨内の音速を決定する方法が、既に提案されている。この方法の間、超音波は、長骨の長軸に平行に揃えられた超音波トランシーバのアレイにより放射される。受信機により受信されたエコー信号に基づき、ヘッドウェーブ（head  wave）として知られる、骨の外側表面に沿って伝搬する骨により誘導される波の速度が決定される。この速度は、受信機のうちの１つによる超音波の受信時点と、同じ波の受信機と送信機との間の距離と、の間の関係が、一次関数であると想定することにより、正しく容易に決定される。
【００１６】
しかしながら、この方法は、長骨の長軸に平行な方向以外の任意の方向の骨内の音速を決定するために使用できない。したがって、骨を部分的に特徴付けることができるだけである。
【発明の概要】
【発明が解決しようとする課題】
【００１７】
本発明の目的は、骨をより完全に特徴付けるために使用可能な方法を提供することである。
【課題を解決するための手段】
【００１８】
したがって、本発明は、骨を特徴付ける方法であって、前記方法は、
前記骨と前記骨の周囲にある非骨生物組織とを含む身体へ第１超音波を放射するステップと、
放射された前記第１超音波の第１エコー信号を受信するステップと、
第１方向の前記非骨生物組織内の音速を決定するステップであって、
複数の所定の第１候補値について、前記第１方向の前記非骨生物組織内の前記音速が前記第１候補値に等しいという前提の下で、前記第１エコー信号から、前記非骨生物組織と前記骨の骨膜とを示す第１画像を構成するステップと、
各第１画像について、前記第１画像内の前記骨膜及び／又は前記骨の周囲にある前記非骨生物組織の合焦品質を示す少なくとも１つの第１メトリックを計算するステップと、
前記第１メトリックに基づき、前記第１候補値のうちの１つを前記第１方向の前記非骨生物組織内の前記音速として選択するステップと、を含むステップと、
前記第１画像のうちの１つの中の、前記非骨生物組織と前記骨との間の第１境界曲線を特定するステップと、
前記第１方向の骨内の音速を決定するステップであって、
複数の所定の第２候補値について、前記第１方向の骨内の前記音速が前記第２候補値に等しいという前提の下で、前記第１エコー信号、決定した前記第１方向前記非骨生物組織内の音速、及び前記第１境界曲線から、前記骨の皮質骨組織及び前記骨内膜を示す第２画像を構成するステップと、
各第２画像について、前記第２画像内の前記骨の前記皮質骨組織及び／又は前記骨内膜の合焦品質を示す少なくとも１つの第２メトリックを計算するステップと、
前記第２メトリックに基づき、前記第２候補値のうちの１つを前記第１方向の骨内の前記音速として選択するステップと、を含むステップと、
を含む方法を提案する。
【００１９】
提案の方法は、技術的に実現可能な場合には、以下の任意の特徴又はステップを単独で又は組み合わせて取り入れてもよい。
【００２０】
第１候補値を用いて第１画像を構成するステップは、前記非骨生物組織の少なくとも１つの点について実行される以下のステップ：
前記第１方向の前記非骨生物組織内の前記音速が前記第１候補値に等しいという前提の下で、前記第１エコー信号から、送信機により放射され前記非骨生物組織の前記点を通過し受信機により受信される第１超音波の第１軌跡を推定するステップと、
推定した前記第１軌跡により、超音波の伝搬時間を計算するステップと、
前記伝搬時間、前記第１エコー信号、並びに前記送信機及び受信機の位置に基づき、前記非骨生物組織の前記点における前記第１画像のピクセルの強度を計算するステップと、を含んでよい。
【００２１】
第２候補値を用いて第２画像を構成するステップは、前記骨の少なくとも１つの点について実行される以下のステップ：
前記第１方向の前記骨内の前記音速が前記第２候補値に等しいという前提の下で、前記第１境界曲線の決定した前記第１方向の前記非骨生物組織内の前記音速に基づき、エコー信号から、送信機により放射され前記骨の前記点を通過し受信機により受信される第１超音波の第２軌跡を推定するステップと、
推定した前記第２軌跡により、超音波の伝搬時間を計算するステップと、
前記伝搬時間、前記第１エコー信号、並びに前記送信機及び受信機の位置に基づき、前記骨の前記点における前記第２画像のピクセルの強度を計算するステップと、を含む。
【００２２】
前記第１境界曲線を特定するステップは、選択した前記第１値を前記第１方向の前記非骨生物組織内の前記音速として用いて構成された前記第１画像において実施できる。
【００２３】
前記第１超音波は、送信機により放射される波であり、エコー信号は、前記骨の長軸に垂直な軸に沿って揃えられた受信機により受信され、前記第１方向は前記骨の前記長軸に垂直な方向である。
【００２４】
前記方法は、選択された前記第１値を用いて構成された前記第１画像、及び／又は選択された前記第２値を用いて構成された前記第２画像を表示するステップ、を含んでよい。
【００２５】
前記方法は、
前記身体へ第２超音波を送信するステップと、
放射された前記第２超音波のエコー信号である第２エコー信号を受信するステップと、
前記第１方向と異なる第２方向の前記非骨生物組織内の音速を決定するステップであって、
複数の第３候補値について、前記第２方向の前記非骨生物組織内の前記音速は前記第２候補値に等しいという前提の下、前記第２エコー信号から、前記非骨生物組織と前記骨の前記骨膜とを示す第３画像を構成するステップと、
各第３画像について、前記第３画像内の前記骨膜の及び／又は前記非骨生物組織の合焦品質を示す少なくとも１つの第３メトリックを計算するステップと、
前記第３メトリックに基づき、前記第３候補値のうちの１つを前記第２方向の前記非骨生物組織内の前記音速として選択するステップと、
前記第３画像のうちの１つの中の前記非骨生物組織と前記骨膜との間の第２境界曲線を特定するステップと、
前記第２エコー信号を用いて、前記第２方向の前記骨内の音速を決定するステップと、
任意の方向の前記骨内の音速を計算するために、前記第１方向の前記骨内の前記音速及び前記第２方向の前記骨内の前記音速を組み合わせて、所定の関数により使用可能な骨異方性パラメータを決定するステップであって、
複数の所定の第４候補値について、前記骨異方性パラメータは前記第４候補値に等しいという前提の下、前記第２エコー信号、前記第１方向の前記骨内の前記音速、前記第２境界曲線、前記第２方向の前記非骨生物組織内の音速、任意で前記第２方向の前記骨内の前記音速、前記所定の関数から、皮質骨組織と前記骨内膜とを示す第４画像を構成するステップと、
各第４画像について、前記第４画像の中の前記骨内膜及び／又は前記骨の前記皮質骨組織の合焦品質を示す第４メトリックを計算するステップと、
前記第４メトリックに基づき、前記第４候補値のうちの１つを骨異方性パラメータとして選択するステップと、を含むステップと、
を含んでよい。
【００２６】
第４画像を構成するステップは、前記骨の少なくとも１つの点について実行される以下のステップ：
前記骨異方性パラメータが前記第４候補値に等しいという前提の下で、前記非骨生物組織内の前記音速の前記第２エコー信号、及び任意で決定した前記第１方向の前記骨内の前記音速、決定した前記第２方向の前記骨内の前記音速、前記第２境界曲線、前記所定の関数から、送信機により放射され前記骨の前記点を通過し受信機により受信される第２超音波の第３軌跡を推定するステップと、
推定した前記第３軌跡により、超音波の伝搬時間を計算するステップと、
前記伝搬時間、前記第２エコー信号、並びに送信機及び受信機の位置に基づき、前記骨の点における前記第４画像のピクセルの強度を計算するステップと、
を含んでよい。
【００２７】
前記第２境界曲線を特定するステップは、選択した前記第３値を前記第２方向の前記非骨生物組織内の前記音速として用いて構成された前記第３画像において実施できる。
【００２８】
前記方法は、選択された前記第３値を用いて構成された前記第３画像、及び／又は選択された前記第４値を用いて構成された前記第４画像、及び前記第２方向の前記骨内の前記音速を表示するステップ、を含んでよい。
【００２９】
前記第２超音波は、送信機により放射される波であってよく、前記第２エコー信号は、前記骨の長軸を含む面内にある軸に沿って揃えられた受信機により受信され、前記第２方向は、望ましくは、前記骨の前記長軸に平行な方向である。
【００３０】
決定した前記骨内の前記音速は、圧縮波伝搬速度又は横波伝搬速度であってよい。決定した前記骨内の音速の各々は、圧縮波伝搬速度であり、前記所定の関数は、以下の形式の関数Vであり、
V(θ)＝Vbone2−(Vbone2−Vbone1){βsin２(θ)cos２(θ)＋cos４(θ)]、
ここで、
Vbone１は決定した前記第１方向の前記骨内の前記圧縮波伝搬速度であり、
Vbone２は決定した前記第２方向の前記骨内の前記圧縮波伝搬速度であり、
βは前記骨の前記異方性パラメータであり、
θは角度であり、
V(θ)は前記第１方向と角度θを形成する方向の前記骨内の圧縮波伝搬速度である。
【００３１】
決定した前記第１方向の前記骨内の前記音速は、横波伝搬速度であり、前記所定の関数は以下の形式の関数Vであり、
V(θ)＝Vbone1{１＋βsin２(θ)cos２(θ)]、
ここで、Vbone１は決定した前記第１方向の前記骨内の前記横波伝搬速度であり、
βは前記骨の前記異方性パラメータであり、
θは角度であり、
V(θ)は前記第１方向と角度θを形成する方向の前記骨内の横波伝搬速度である。
【００３２】
任意の方向の前記骨内の音速を計算するために、前記第１方向の前記骨内の前記音速と一緒に、決定した前記第１方向の前記骨内の前記音速と組み合わせて所定の関数により使用可能な骨異方性パラメータを決定することが可能であり、前記の決定は、
所定の第２及び第４候補値の複数のペアについて、前記第１方向の前記骨内の前記音速が前記第２候補値に等しいという前提の下で、及び前記骨異方性パラメータ（β）が前記第４候補値に等しいという前提の下で、前記第１エコー信号、決定した前記第１方向の前記非骨生物組織内の前記音速、及び前記第１境界曲線から、前記骨の皮質骨組織と前記骨内膜とを示す第２画像を構成するステップと、
各第２画像について、前記第２画像の中の前記骨の前記皮質骨組織及び／又は前記骨内膜の合焦品質を示す少なくとも１つの第２メトリックを計算するステップと、
第２候補値を前記第１方向の前記骨内の音速として、及び第４候補値を骨異方性パラメータ（β）として選択するステップであって、前記の選択は前記第２メトリックに基づき実施される、ステップと、
を含む。
【図面の簡単な説明】
【００３３】
本発明の他の特徴、目的及び利点は、純粋に説明のためであり非限定的である及び添付の図面と関連して読まれるべき以下の説明から明らかになる。
【図１】骨を含む身体の概略透視図である。
【図２】本発明の実施形態による、骨を特徴付けるシステムの概略図である。
【図３】本発明の第１の実施形態による、骨を特徴付ける方法の特定のステップを示す。
【図４】本発明の第１の実施形態による方法のステップのサブステップの詳細を示す。
【図５Ａ】本発明の第１の実施形態による方法の実施中に構成される画像の２つの例である。
【図５Ｂ】本発明の第１の実施形態による方法の実施中に構成される画像の２つの例である。
【図６】本発明の第１の実施形態による方法のステップのサブステップの詳細を示す。
【図７】骨を含む身体の長手方向の断面であり、該身体内の超音波の経路も示す。
【図８】曲線のセットであり、各曲線は本発明の第１の実施形態による方法の実施中に計算されたメトリックの展開を、骨内の放射状圧縮波の伝搬速度の候補値の関数として示す。
【図９】本発明の第１の実施形態による、骨を特徴付ける方法のさらなるステップを示す。
【図１０】図９に示したステップの詳細なサブステップを示す。
【図１１】図９に示したステップの詳細なサブステップを示す。
【図１２】曲線のセットであり、各曲線は本発明の第１の実施形態による方法の実施中に計算されたメトリックの展開を、骨の異方性パラメータの候補値の関数として示す。
【図１３】本発明の第２の実施形態による、骨を特徴付ける方法のステップのフローチャートである。
【図１４】本発明の第２の実施形態による方法のステップの詳細なサブステップを示す。
【００３４】
同様の要素は、図を通じて同じ参照符号を有する。
【発明を実施するための形態】
【００３５】
図１は、骨Bと非骨生物組織Tとを含む身体部分Cの一例の概略図である。
【００３６】
骨Bは長軸Xに沿って伸びている。骨Bは、特に、骨髄、骨髄の周りに伸びている骨内膜E（図１の点線）、及び骨内膜Eを囲む骨膜PEを含む。骨膜PEは骨Bの外層である。骨Bは、骨内膜Eと骨膜PEとの間の皮質骨組織も含む。
【００３７】
皮質骨組織Tは、骨の周囲に伸びており、より具体的には、皮質骨組織の接触している骨膜PEの周りにある。
【００３８】
非骨生物組織Tは、肉、又は肉の周りの皮膚も含む。
【００３９】
超音波はこのような身体C内を伝搬できることがよく知られている。
【００４０】
これに関して、図１は、以下のような、幾つかの波伝搬速度を示す。
・Vbone１：骨Bの長軸Xと垂直な方向の、骨B内の圧縮波（compressional  wave）（これは、「径方向」及び「放射状」圧縮波と補ばれる）の伝搬速度。
・Vbone２：長軸Xと平行な方向の、骨B内の圧縮波（これは、「軸方向」及び「軸」圧縮波と補ばれる）の伝搬速度。
・Vtissue１：骨の長軸に垂直な方向の、非骨生物組織T内の圧縮波の伝搬速度。
・Vtissue２：骨の長軸Xに平行な方向の、非骨生物組織T内の圧縮波の伝搬速度。
【００４１】
任意の方向の骨内の圧縮波の伝搬が、異方性パラメータβ、速度Vbone２及びVbone１を結合する所定の関数Vにより計算できる。
【００４２】
所定の関数Vは、標準的に以下の形式である。
V(θ)＝Vbone2−(Vbone2−Vbone1){βsin２(θ)cos２(θ)＋cos４(θ)]
ここで、
θは角度であり、
βは骨の異方性パラメータであり、
V(θ)は第１方向と角度θを形成する方向の骨内の横波伝搬速度である。
【００４３】
この関数Vは、骨Bが横方向等方性（transverse  isotropic）、つまり骨Bの長軸Xに垂直な面内で等方性であるという比較的現実的な前提に基づく。
【００４４】
図２を参照すると、特徴付けシステム１は、超音波プローブ２、プローブ２により取得されたエコー信号を処理する装置４、又はディスプレイ１２も有する。
【００４５】
超音波プローブ２は、それ自体知られており、軸Yに沿って揃えられたトランシーバ６の少なくとも１つのアレイを有する。
【００４６】
通常、プローブ２は、トランシーバ６のアレイの前に配置されたシリコンレンズ（図示しない）を含む。
【００４７】
各トランシーバ６は、超音波を送信するよう適応される。
【００４８】
各トランシーバ６は、更に、任意の他のトランシーバ６により放射された超音波のエコー信号を取得するよう適応される。
【００４９】
トランシーバ６の相対位置は予め定められる。標準的に、トランシーバ６は、プローブ２の軸に沿って一定のピッチで間隔を開けられる。
【００５０】
さらに、エコー信号処理装置４は、通常、少なくともプロセッサ８及びメモリ１０を有する。
【００５１】
プロセッサ８は、計算、特に画像処理アルゴリズムを実行するよう構成される。この動作は、以下に詳細に記載する。
【００５２】
メモリ１０は、所定のデータを格納する。これらのデータは、個々の身体に固有ではなく、個体群の中の任意の個人に適用可能な一般的データである。
【００５３】
所定のデータは、速度Vtissue１の所定の第１候補値のセットを含む。所定の第１候補値は、標準的に、１４００〜１７００メートル毎秒の間である。
【００５４】
所定のデータは、速度Vbone１の第２候補値のセットも含む。所定の第２候補値は、標準的に、２６００〜３６００メートル毎秒の間である。
【００５５】
所定のデータは、速度Vtissue２の第３候補値のセットを含む。所定の第３候補値は、標準的に、１４００〜１７００メートル毎秒の間である。
【００５６】
所定のデータは、骨Bの異方性パラメータβの第４候補値のセットも含む。第４値は、標準的に０．８〜２の間である。
【００５７】
以下で分かるように、プロセッサ８により実装されるアルゴリズムは、骨B内の伝搬速度が、特に異方性パラメータβに依存する上述の関数Vにより支配されることを前提とする。
【００５８】
図３のフローチャートを参照すると、特徴付けシステム１を用いて図１に示した骨Bを特徴付ける方法は、以下のステップを含む。
【００５９】
プローブ２は、第１位置で身体Cの近くに位置づけられる。
【００６０】
第１位置で、プローブ２のトランシーバ６は、骨Bの長軸に実質的に垂直に揃えられる。言い換えると、プローブ２の軸Yは、第１位置において骨Bの軸Xを垂直である。
【００６１】
プローブ２は、第１方向に向けて、身体Cへ第１超音波を放射する（ステップ１００）。
【００６２】
第１波は、例えば、放射状圧縮波である。言い換えると、第１方向は、骨Bの長軸に垂直な方向である。
【００６３】
第１超音波は、身体Cに浸透し、身体Cの異なる深さで身体Cにより反射される。
【００６４】
これらの波からのエコー信号は、以後、第１エコー信号と呼ばれ、プローブ２のトランシーバにより取得される（ステップ１０２）。もちろん、インデックスiのトランシーバ６により放射された波は、完全に、インデックスjの別のトランシーバ６により受信されたエコー信号を生じることができる。
【００６５】
第１エコー信号は、デジタル処理され、処理装置４へ送信され、従来知られた形式でメモリ１０に格納される。
【００６６】
プロセッサ８は、受信した第１エコー信号に基づき、及びメモリ１０に格納された所定の第１値に基づき、速度Vtissue１を決定する（ステップ１０４）。
【００６７】
図４を参照すると、速度Vtissue１の決定１０４は、以下のサブステップを含む。
【００６８】
プロセッサ８は、速度Vtissue１が第１候補値に等しいという前提の下で、第１エコー信号から、画像（以後、第１画像と呼ぶ）を構成する（ステップ２００）。
【００６９】
第１画像は、ピクセルのグリッドで構成される。各ピクセルは、グリッド内の位置により及び強度Iにより定められる。この強度は、標準的にグレイレベルを表す。第１画像は、第１超音波が伝搬する面内の身体Cの断面図も表す（この断面は、プローブ２の軸に平行である）。この断面の各点は、第１画像のピクセルで示される。
【００７０】
好適な実施形態では、第１画像の構成は、Kirchhoffマイグレーション法又は所謂「Total  Focusing  Method」により実行される。これらの方法は、それ自体知られており、有利なことに予め取得された第１超音波信号に適用される。
【００７１】
これらの知られている方法のうちの１つを用いる第１画像の構成２００は、以下のサブステップを含む。
【００７２】
検査中の身体Cの所与の点Pについて、プロセッサ８は、速度Vtissue１が第１候補値のうちの１つに等しいという前提の下で、第１エコー信号から、送信機により送信され、次に点Pを通過し、次に受信機により受信された第１超音波の軌跡を推定する。
【００７３】
点Pを通過する超音波は、それぞれ、プローブ２の軸Yに沿った知られている位置を有するインデックスiの送信機により送信され、プローブ２の軸Yに沿ったこれも知られている位置を有するインデックスjの受信機により受信される。したがって、最大で、プローブ２内の送信機／受信機インデックスのペア（i,j）と同数の、点Pを通過する第１波エコー信号が存在する（つまり、Mが使用される送信機の数であり、Nが使用される受信機の数であるならば、最大でM×N個の信号がある）。
【００７４】
超音波の軌跡の推定は、フェルマの原理を利用して実施される。フェルマの原理によると、波は同質媒体内を直線的に伝搬すると仮定される。ここで、非骨生物組織及び骨Bを有する身体Cは、全体として同質媒体として考えられる。波の伝搬速度は、非骨生物組織Ｔ内の音伝搬速度の信頼できる値に対応する、検討される第１候補値に等しいと仮定する。
【００７５】
別の実施形態では、第１画像の構成ステップ２００は、所謂、Reverse  Time  Migration  (RTM)法を用いて実施される。この方法は、画像上の任意の点における領域の反射率を表す画像を生じる代替的な撮像方法である。これは、検査中の媒体の形状及び各点における波伝搬の速度の知識を前提とする。反射率画像は、画像内の任意の点において、送信機により生成された入射領域と受信機により記録された逆方向伝搬領域との間の時間的創刊を計算することにより取得される。これらの領域は、それぞれ送信機により生成された波形及び受信機により記録されたエコー信号（時間において反転される）を境界条件として用いて、音響（又は弾性）波方程式を数値的に解くことにより取得される。これらの演算は、放射毎に繰り返されなければならない。最終的な画像は、各プログラムで取得された画像を加算することにより取得される。しかしながら、この方法は、上述の好適な実施形態よりも計算時間の観点で遙かに多くの時間を消費する。
【００７６】
プロセッサ８は、次に、推定した経路により、点Pを通過する波の伝搬時間を計算する。
【００７７】
伝搬時間は、インデックスiの送信機から点Pへの伝搬時間tT(i,P)の、及び点Pからインデックスjの受信機への伝搬時間tR(j,P)の、和である。
【００７８】
プロセッサ８は、次に、推定した伝搬時間、第１エコー信号、並びに送信機及び受信機の位置から、点Pにおける第１画像のピクセルの強度を計算する。
【００７９】
点Pの強度Iは、標準的に以下の式を用いて計算される。
【数１】
2020528310.tif 000003
ここで、D(t＝tT(i,P)＋tR(j,P),i,j)は、インデックスjの受信機により時間tにおいて受信されたエコー信号を表すデータであり、エコー信号は、最初にインデックスiの送信機により送信された波からのものであり、
W(P,i,j)は、所定の重み付け関数Wを適用することにより取得された重みである。
【００８０】
標準的に、重み付け関数Wは、観察窓関数（文献では重み付け又はアポジゼーションウインドウとも呼ばれる）である。したがって、点Pからインデックスjの受信機への波の帰路セグメントの、プローブ２の送信／受信面に垂直な方向に対する角度が、所定の角度閾より小さい場合、W(P,i,j)＝１であり、その他の場合にW(P,i,j)＝０である。この角度閾は、例えば、５０度に固定される（この角度は、受信機の５０％程度の感度の損失に対応する）。
【００８１】
幾つかの点Pで上述のサブステップを繰り返すことにより、第１画像が再構成できる。第１画像の構成ステップ２００が次に完了する。
【００８２】
第１画像の構成ステップ２００は、メモリ１０に格納された各第１値について繰り返される。
【００８３】
図５Ａは、構成ステップ２００の実施を通じて取得できる第１画像の例を示す。分かるように、この第１画像は、骨の周囲にある非骨生物組織Tのレベルで、比較的情報が豊富である。他方で、この第１画像は、骨の内部の情報が乏しい。第１画像は、特に骨Bにおいてほけた領域を示す。これは、本開示の導入部で議論したように、プロセッサ８が基準伝搬速度として、非骨生物組織T内の音伝搬速度の信頼できる値に対応するが、骨内の音伝搬速度の信頼できる値に対応しない、第１候補値を取り入れていることに起因する。
【００８４】
図４に戻ると、ステップ２００で構成された第１画像について、プロセッサ８は、第１画像内の関心領域における合焦品質（focus  quality）を表す第１メトリックを計算する（ステップ２０２）。選択される関心領域は、標準的に、骨膜PE及び／又は骨の周囲にある非骨生物組織Tを示す領域である。
【００８５】
第１メトリックは、望ましくは、第１画像内で検討される関心領域の中の平均強度及び／又は平均コントラストの関数である。
【００８６】
第１メトリックは、標準的に、従来知られた以下のメトリックのうちの１つ又は組み合わせである。
【００８７】
・横方向スペクトルエネルギメトリック、「Sound  Velocity  Correction  in  Ultrasound  Imaging」、D.  Napolitano,  C.  Chou,  G.  McLaughlin  et  al.、２００６年発行に記載されている。
・「Brenner  sharpness  criteria  metric」又は「Tenenbaum  sharpness  criteria  metric」又は「variance−based  sharpness  criteria  metric」、これらはすべて「Automatic  sound  velocity  selection  in  photoacoustic  image  reconstruction  using  an  autofocus  approach」、B.  Treeby,  T.  Varslot,  E.  Zhang  et  al.、２０１１年発行に記載されている。
【００８８】
プロセッサ８は、ステップ２００で構成された第１画像毎に、ステップ２０２を繰り返す。プロセッサ８は、したがって、第１画像と同じ数の、及び所定の第１候補値と同じ数の、第１メトリックを生成する。
【００８９】
プロセッサ８は、次に、第１画像を生成するために使用される第１候補値の中の最適値を、速度Vtissue１の最終値として選択する（ステップ２０４）。プロセッサ８は、これを行うために第１メトリックを使用する。
【００９０】
ステップ２０４で速度Vtissue１として選択された第１候補値は、関連付けられたメトリックが、すべての計算した第１メトリックの中で最高の、関心領域における合焦品質を示す第１画像を生成するために入力として使用される値である。標準的に、上述の列挙された方法のうちの１つが第１メトリックを計算するために使用されるとき、最大値の第１メトリックは、計算された第１メトリックの中で検索される。
【００９１】
したがって、検査中の身体Cの非骨生物組織内の現実の速度Vtissue１が決定される。次に、ステップ１０４が完了する。
【００９２】
図３に戻ると、プロセッサ８は、構成した第１画像のうちの１つの中の、非骨生物組織と骨Bとの間の第１境界曲線を更に特定する（ステップ１０６）。実際には、この境界曲線は、骨膜PEに対応する、高い強度の画像のゾーンのレベルにおいて特定される。
【００９３】
非常に好ましいことに、特定するステップ１０６は、速度Vtissue１として選択した第１候補値を使用して構成された第１画像において実施される。特定するステップは、したがって、プロセッサ８により構成されたすべての第１画像の中で、この第１画像の高い合焦品質のお陰で、遙かに正確になる。
【００９４】
特定するステップ１０６は、通常、以下のステップで構成される。非骨生物組織と骨Bとの間の境界を示す第１画像のピクセル群を識別するために、第１画像がセグメント化される（このセグメント化は、例えば従来知られているDjikstraアルゴリズムの実施を含む）。このピクセル群は、多項式、例えば放物線により定められる境界曲線に近似される。
【００９５】
プロセッサ８は、次に、ステップ１０６で特定された第１境界曲線及び他の場合にはステップ１０４で決定された速度Vtissue１を有利に発展させることにより、速度Vbone１を決定する（ステップ１０８）。
【００９６】
図６を参照すると、速度Vbone１の決定１０８は、以下のステップを含む。
【００９７】
メモリ１０に格納された第２候補値の各々について、プロセッサ８は、速度Vbone１が第２候補値に等しいという前提の下で、第１エコー信号、速度Vtissue１、及び第１境界曲線から、骨Bの皮質骨組織と骨内膜Eとを示す第２画像を構成する（ステップ３００）。
【００９８】
第２候補値から第２画像を構成するステップ３００は、第１画像を構成するステップ２００と同様のサブステップの実施を含むが、幾つかの相違点がある。
【００９９】
ステップ２００と同様に、ステップ３００は、Kirchhoffマイグレーション法又はTotal  Focusing  Methodを使用できる。
【０１００】
この場合、ここでもフェルマの原理を使用して、点Pを通過する波の軌跡の推定がここでも実施される。フェルマの原理によると、波は同質媒体内を直線的に伝搬すると仮定される。しかしながら、今回は、身体Cは、この軌跡推定の実施中、異質媒体として考えられる。つまり、非骨生物組織は第１同質媒体として考えられ、この中では、第１超音波が、予め決定された速度Vradial_tissueで伝搬する。他方で、骨Bは、第２媒体と考えられ、この中では、これらの第１波は第２候補値のうちの１つで伝搬する。境界曲線は、したがって、波が屈折する、２つの媒体の間の境界線である。
【０１０１】
これらの前提を予め特定された境界曲線と組み合わせることにより、第２画像を構成するステップ３００の間に、第１超音波の軌跡が、非骨生物組織内に位置する点Pを通過するだけでなく、第１波の軌跡が骨B内に位置する点Pを通過していることも、推定することが可能である。
【０１０２】
代替として、第２画像を構成するステップ３００は、RTMを用いて実施される。
【０１０３】
図７は、インデックスiの送信機６からインデックスjの受信機６への、骨（より正確には、骨の皮質組織における）の点Pを通過する圧縮超音波の軌跡の一例を示す。これはステップ３００で推定されたものである。この推定された軌跡は、細かく連続しており、以下の４つの連続するセグメントを含む。
・非骨生物組織T内で第２境界曲線の第１点までの第１セグメント。
・第２境界曲線から点Pまでの、第１セグメントを延長した第２セグメント。第２セグメントは、第２境界曲線の第１点で媒体が変化するときの波の屈折により、第１セグメントと平行ではない。
・点Pから第２境界曲線上の別の点までの第３セグメント。
・第２境界曲線の第２点から開始し、インデックスjの受信機へ向かって行く第４セグメント。第４セグメントは、第２境界曲線の第２点で媒体が再び変化するときの波の屈折により、第３セグメントと平行ではない。
【０１０４】
第２画像を構成するステップ３００で、プロセッサ８は、次に、第１画像のうちの１つを構成するステップにおいて記載したのと同じ方法で、推定した経路により超音波の伝搬時間を、伝搬時間、第１エコー信号、並びに送信機及び受信機の位置からピクセル強度を、計算する。
【０１０５】
ここで、インデックスiの送信機から点Pまでの伝搬時間tT(i,P)は、第１及び第２セグメントをカバーし、点Pからインデックスjの受信機までの伝搬時間tR(j;P)は、第３及び第４セグメントをカバーする。
【０１０６】
最終的に、第２画像を構成するステップ３００は、基本的に、第１画像を構成するステップ２００と同じ原理を使用するが、より多くの入力データ、特に境界曲線を使用して、第２画像が骨Bにおける使用に適した情報を示すことを可能にする。
【０１０７】
図５Bは、構成ステップ３００の実施を通じて取得できる第２画像の例を示す。図示のように、この第２画像は、骨Bの周囲にある非骨生物組織のレベルだけでなく、骨Bの内部で、骨膜PEで、及び骨内膜Eでも、比較的情報が豊富である。
【０１０８】
プロセッサ８は、次に、各第２画像について、第２画像内の骨Bの皮質骨組織の及び／又は骨Bの骨内膜Eの合焦品質を示す少なくとも１つの第２メトリックを計算する。第３メトリックは、例えば、第１メトリックと同じ種類である。
【０１０９】
プロセッサ８は、次に、第２画像を生成するために使用される第２候補値の中の最適値を、速度Vbone１の最終値として選択する（ステップ３０４）。プロセッサ８は、ステップ２０４と同じ方法で、このために第２メトリックを使用する。
【０１１０】
図８は、使用される第２候補値に従う異なる第２メトリック曲線を示す。どんな方法が第２メトリックを計算するために使用されるかに関わらず、速度Vbone１として選択された第２値は、ほぼ同じであることが分かる（実際にこれらの曲線の最大値は互いに非常に近い）。
【０１１１】
したがって、検査中の身体Cの骨B内の現実の速度Vbone１が決定される。次に、ステップ１０８が完了する。
【０１１２】
この速度Vbone１は、検査中の身体Cの骨Bの潜在的な骨粗鬆症を診断するための入力として使用できるので、それ自体が興味深いデータである。
【０１１３】
しかしながら、検査中の骨Bをより完全に特徴付けるために、この情報を他の速度で補強することは有利である。この目的のために、図９を参照すると、骨Bを特徴付けるシステム１により実施される方法は、以下の追加ステップを含む。
【０１１４】
プローブ２は、第１位置と異なる第２位置で身体Cの近くに位置づけられる。第２位置で、プローブ２のトランシーバ６は、第１方向と異なる第２方向に揃えられる。
【０１１５】
プローブ２は、第２方向に向けて、身体Cへ第２超音波を放射する（ステップ４００）。
【０１１６】
第２波は、望ましくは、軸方向の圧縮波である。言い換えると、第２方向は、例えば、骨Bの長軸を含む平面内にある。この第２方向は、望ましくは、骨の長軸と実質的に平行であり、つまり、骨Bの長軸と、２０度未満の角度αを形成する。
【０１１７】
第２超音波は、身体Cに浸透し、身体Cの異なる深さで身体Cにより反射される。
【０１１８】
これらの第２波からの新しいエコー信号、所謂、第２エコー信は、プローブ２のトランシーバ６により取得される（ステップ４０２）。
【０１１９】
エコー信号は、デジタル処理され、処理装置４へ送信され、メモリ１０に格納される。
【０１２０】
必要な場合には、プロセッサ８は、次に、第２エコー信号に基づき、速度Vbone２を決定する（ステップ４１０）。
【０１２１】
速度Vbone２を決定するステップ４１０は、骨Bの外層に沿って伝jパンするヘッドウェーブの識別に基づき、従来知られている方法を用いて実施できる。
【０１２２】
この知られている方法は、プローブ２の２つのエンド送信機６（標準的に０インデックスの送信機と最大インデックスの送信機）からの波の放射に応答して取得された２つの特定の第２エコー信号を使用する。すべてのトランシーバ６は、プローブ２のエンド送信機６のうちの１つにより選択的に放射された波を受信する。２つのエンド送信機６の間の距離は知られており、標準的に１０〜４０mmの間である。この規模では、骨Bの外側表面は平坦であると仮定できる。したがって、使用される２つのトランシーバ６のうちの一方による波のヘッドウェーブの到着時間と、２つのエンド送信機６のうちの一方及び受信機６の間の距離との関係が一次関数であるので、この表面に沿ったヘッドウェーブの伝搬速度は、容易に決定できる。ここの線形性を前提とすると、以下を決定することが非常に容易である：
インデックス０のトランシーバ６が送信機として使用され、すべてのトランシーバ６が受信機として使用されたとき、骨Bに沿って伝搬するヘッドウェーブの速度V１；及び、
最高インデックスのトランシーバ６が送信機として使用され、すべてのトランシーバ６が受信機として使用されたとき、骨Bに沿って伝搬するヘッドウェーブの速度V２。
【０１２３】
速度Vbone２は、次に、次式を用いてプロセッサ８により計算される。
【数２】
2020528310.tif 000004
【０１２４】
さらに、プロセッサ８波、第２エコー信号に基づき速度Vtissue２を決定する（ステップ４０４）。このステップは、速度Vtissue１を決定したステップ１０４と同じ基本原理を用いる。相違点は、ステップ４０４が、プローブ２が第１位置ではなく第２位置にあった間に放射された第２波を使用することである。
【０１２５】
図１０を参照すると、速度Vtissue２を決定するステップ４０４は、より具体的には、以下のステップを含む。幾つかの第３候補値について、速度Vtissue２が第２候補値に等しいという前提の下で、第２エコー信号に基づき、生物組織及び骨の骨膜PEを示す第３画像を構成するステップ（ステップ５００）、各第３画像について、第３画像の中の骨膜PEの合焦品質を示す第３メトリックを計算するステップ（ステップ５０２）、第３メトリックに基づき、第３候補値のうちの１つを、速度Vtissue２として選択するステップ（ステップ５０４）。
【０１２６】
第３画像は、骨Bの軸Xに平行な長軸方向の部分の中の身体Cのビューである。
【０１２７】
第３メトリックは、例えば、第１メトリック及び／又は第２メトリックと同じ種類である。
【０１２８】
図９に戻ると、プロセッサ８は、構成した第３画像のうちの１つの中の、非骨生物組織と骨Bとの間の第２境界曲線を特定する（ステップ４０８）。
【０１２９】
非常に好ましいことに、第２曲線を特定するステップ４０８は、速度Vtissue２として選択した第３候補値を使用して構成された第３画像において実施される。特定するステップは、したがって、ステップ５００の間にプロセッサ８により構成されたすべての第３画像の中で、この第３画像の高い合焦品質のお陰で、遙かに正確になる。
【０１３０】
プロセッサ８は、検査中の骨Bの異方性のパラメータβも決定する（ステップ４１２）。
【０１３１】
前述のように、このパラメータβは、軸Xと角度θを形成する任意の方向の骨B内の圧縮波の伝搬速度V(θ)を計算するために、速度Vbone１と及び速度Vbone２と組み合わせて、所定の関数Vにより使用できる。
【０１３２】
図１１を参照すると、骨Bの異方性のパラメータβは、以下のサブステップを用いてステップ４１２において決定される。
【０１３３】
メモリ１０に格納された第４候補値の各々について、プロセッサ８は、骨Bの異方性パラメータβが第４候補値に等しいという前提の下で、第２エコー信号、所定の関数Vの速度Vbone１、速度Vbone２から、骨Bの皮質骨組織と骨内膜Eとを示す第４画像を構成する（ステップ６００）。
【０１３４】
このステップ６００は、マイグレーション法又はTotal  Focusing  Methodのうちの一方を使用できる点で、ステップ２００、３００、及び５００と同様である。この場合、ステップ６００で推定した波の軌跡は、任意の方向で観察される骨B内の波の伝搬速度が関数Vにより定められるモデルを尊重するという前提に基づくことに容易に気づく。代替として、第２画像を構成するステップ３００は、RTMを用いて実施される。
【０１３５】
したがって、ステップ６００の後に、メモリ１０に最初に格納された各第４候補値について１つの、複数の第４画像が取得される。
【０１３６】
各第４画像について、プロセッサ８は、第４画像内の骨内膜Eの及び／又は骨Bの周囲にある非骨生物組織Tの合焦品質を示す少なくとも１つの第４メトリックを計算する（ステップ６０２）。第４メトリックは、例えば、第１メトリックと同じ種類である。
【０１３７】
プロセッサ８は、次に、第４メトリックに基づき、骨Bの異方性パラメータβとして、第４候補値のうちの１つを選択する（ステップ６０４）。
【０１３８】
図１２は、使用される第４候補値に従う異なる第４メトリック曲線を示す。第４メトリックを計算するために使用される方法に関わらず、パラメータβとして選択された第４値は、速度Vbone１の場合もそうであったように、事実上同じである（これらの曲線の最大値は、実際に互いに非常に近い）。
【０１３９】
ここで、プロセッサ８が、処理中に決定されたデータVbone１、Vbone２、及びβをパラメータとする関数Vを用いて、骨B内の圧縮波の任意の伝搬速度を計算することが可能である。
【０１４０】
記載した方法の実施形態では、骨Bの様々な特性データ、つまりVbone１、Vbone２、及びβは、別個のステップで、一緒にではなく、決定された。特に、決定ステップ１０４、１０８、及び４１２は、それぞれ、候補値の１つのセットだけを使用した（ステップ１０４では第２候補値、ステップ１０８では第３候補値、ステップ４１２では第４候補値）。これは、最終的に、構成される第２、第３、及び第４画像の数を制限する。言い換えると、これらのステップを実施するために必要な物理的資源（計算負荷、メモリ１０）は、比較的安価である。
【０１４１】
有利なことに、プロセッサ８は、以下の画像のうちの少なくとも１つで、ディスプレイスクリーン１２を制御する。
【０１４２】
ステップ２０４で選択した第１値を用いて構成された第１画像、
ステップ３０４で選択した第２値を用いて構成された第２画像、
ステップ５０４で選択した第１値を用いて構成された第３画像、
ステップ６０４で選択した第２値を用いて構成された第２画像。
【０１４３】
これらの画像は、高い合焦品質を有し、したがって、医師にとって重要である。
【０１４４】
本発明は、図と関連して記載された実施形態にのみ限定されない。
【０１４５】
本発明は、特に、横波の検査に適用可能である。
【０１４６】
この場合、以下の形式の所定の関数Vを用いて骨B内の横波の伝搬速度をモデル化することが可能である。
V(θ)＝Vbone１[１＋βsin２(θ)cos２(θ)]
ここで、
Vbone１は、長軸Xに平行な第１方向の骨B内の横波の伝搬速度であり、
θは、角度であり、
V(θ)は、第１方向と角度θを形成する方向の骨B内の横波伝搬速度である。
【０１４７】
例えば、図１３は、第２の実施形態による骨を特徴付ける方法におけるステップのフローチャートを示す。
【０１４８】
プローブ２は、上述の第２一に位置づけられ、超音波圧縮波は、この第２位置においてプローブ２により放射される（ステップ６００）。
【０１４９】
それ自体知られている方法では、放射された圧縮波は、骨B内に現れる横波を生じる。これらの横波は、圧縮波が骨膜PEと骨内膜Eとの間に位置する骨Bの皮質骨組織に浸透すると、生成される。
【０１５０】
これらの横波からのエコー信号は、次に、プローブ２により受信される（ステップ６０２）。
【０１５１】
プロセッサ８は、次に、非骨生物組織T内の圧縮波の軸方向の伝搬の速度Vtissue２を決定する（ステップ７０４）。このステップ７０４は、ステップ５０４と同様である。
【０１５２】
プロセッサ８は、組織Tと骨Bとの間の境界曲線を特定する（ステップ７０６）。このステップは、ステップ４０８と同じである。
【０１５３】
プロセッサ８は、次に、骨B内の速度Vbone１（ステップ７０８）を決定し、併せてパラメータβを決定する。図１４を参照すると、この同時決定は、以下のサブステップを含む。
【０１５４】
第２候補値のセットは、速度Vbone１について、メモリに予め格納されていると仮定する。これらの第２値は、骨内の横波では、１３００〜２０００メートル毎秒の間である。
【０１５５】
さらに、第４候補値は、本実施形態では、骨内の横波の異方性パラメータβでは、−０．３〜０．３の間である。
【０１５６】
第４候補値（例えばβ）及び第２候補値で構成されるペアについて、プロセッサは、速度Vbone１が外ペアのうりの第２候補値に等しく、異方性パラメータβが外ペアのうちの第４値に等しいという２つの前提の下で、エコー信号から画像を構成する（ステップ８００）。
【０１５７】
プロセッサ８は、利用可能なペアの各々について、このステップ８００を繰り返す。
【０１５８】
ここで、１次元ではなく２次元で動作するので、構成された画像の数は、第１の実施形態による方法の１つのステップにおいて生成された画像の数より遙かに多いことが分かる。
【０１５９】
構成された画像の各々について、プロセッサは、合焦品質メトリックを計算する（ステップ８０２）。このステップは、ステップ５０２、６０２と同じである。
【０１６０】
プロセッサ８は、次に、計算したメトリックに基づき、ステップ８００（ステップ８０４）で画像を構成するために使用されたペアのうちの１つを選択する。このステップは、ステップ５０４、６０４と同じである。
【図１】
2020528310.tif 000005
【図２】
2020528310.tif 000006
【図３】
2020528310.tif 000007
【図４】
2020528310.tif 000008
【図５Ａ】
2020528310.tif 000009
【図５Ｂ】
2020528310.tif 000010
【図６】
2020528310.tif 000011
【図７】
2020528310.tif 000012
【図８】
2020528310.tif 000013
【図９】
2020528310.tif 000014
【図１０】
2020528310.tif 000015
【図１１】
2020528310.tif 000016
【図１２】
2020528310.tif 000017
【図１３】
2020528310.tif 000018
【図１４】
2020528310.tif 000019
【国際調査報告】
2020528310.tif 000020
2020528310.tif 000021
2020528310.tif 000022
2020528310.tif 000023
2020528310.tif 000024
2020528310.tif 000025